【事件の表示】
　特願２０１５−５４８１４６「裸眼立体提示を回転可能に表示する表示装置」拒絶査定不服審判事件〔平成２６年　７月　３日国際公開、ＷＯ２０１４／１００９６０、平成２８年　３月２４日国内公表、特表２０１６−５０９３８８〕について、次のとおり審決する。
【結　論】
　本件審判の請求は、成り立たない。
【理　由】
第１　手続の経緯
　本願は，２０１２年（平成２４年）１２月２４日を国際出願日とする出願であって，その手続の経緯は，概略，以下のとおりである。
　平成２８年　７月　７日付け：拒絶理由通知書
　平成２９年　１月１２日　　：意見書，手続補正書の提出
　平成２９年　７月２６日付け：拒絶理由(最後の拒絶理由）通知書
　平成３０年　１月３１日　　：意見書，手続補正書の提出
　平成３０年　６月１８日付け：平成３０年１月３１日の手続補正につい
　　　　　　　　　　　　　　　ての補正の却下の決定，拒絶査定
　平成３０年１０月１９日　　：審判請求書，手続補正書の提出
　令和　１年　９月　３日付け：拒絶理由通知書（当審）
　令和　１年１２月２６日　　：意見書，手続補正書の提出
第２　本願発明
　令和１年１２月２６日の手続補正書によって補正された特許請求の範囲の請求項１（以下「本願発明」という。）は，以下のとおりである。
　なお，本願発明における各構成の符号は，説明のために当審において付与したものであり，以下，構成Ａないし構成Ｆと称する。
「　　【請求項１】
（Ａ）表示装置であって，
（Ｂ）画像データに基づいて複数の画素によって形成されたコンテンツを表示する表示スクリーン装置と，
（Ｃ）スリット部分及びマスク部分を形成する画素構成に複数の画素を含み，前記表示スクリーン装置と連係して裸眼立体提示を表示するように構成されたパララックス・バリアと，
（Ｄ）前記表示装置の，前記表示スクリーン装置の表面に垂直な軸を回転の中心とする基準回転位置からの回転を検知するセンサと，
（Ｅ）（Ｅ１）前記表示スクリーン装置の前記複数の画素の構成と前記パララックス・バリアの前記画素構成とが，前記基準回転位置からの第１方向と反対の第２方向の前記表示装置の前記回転の，前記センサによる検出に応じて前記第１方向に回転するように構成され，（Ｅ２）前記表示スクリーン装置の画素によって形成された前記コンテンツ，並びに前記パララックス・バリアの画素によって形成された前記スリット部分及び前記マスク部分が，前記表示装置の前記回転を補償するよう再マッピングされるように，前記表示スクリーン装置の前記画素構成と前記パララックス・バリアとの前記回転が，大きさが等しく前記表示装置の前記回転と反対方向であり，（Ｅ３）前記マスク部分の画素と前記パララックス・バリアとが，第１モードにおいて少なくとも部分的に不透明であり，第２モードにおいて透明である，（Ｅ４）プロセッサと，
を備え，
（Ｆ）前記パララックス・バリアの前記画素構成の解像度が，前記表示スクリーン装置の前記画素構成の解像度よりも高い，
（Ａ）前記表示装置。」
第３　拒絶の理由
　令和１年９月３日付けで当審が通知した拒絶理由の理由１は，次のとおりのものである。
　この出願の請求項１に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
引用文献１：国際公開第２０１２／０４６６８６号
引用文献２：特開２０１２−１８５２３１号公報
引用文献３：国際公開第２０１２／０３００９２号（特表２０１３−５４１０３６号公報参照）
第４　引用文献の記載及び引用発明
１　引用文献１の記載
　本願の出願前に頒布された又は電気通信回線を通じて公衆に利用可能となった国際公開第２０１２／０４６６８６号（２０１２年４月１２日国際公開。以下「引用文献１」という。）には，図面とともに，次の記載がある。（下線は，当審で付したものである。以下，同様。）　
（１）「[0012]　好ましくは，
画像表示機器は，当該画像表示機器の縦横の姿勢を検出するように構成された姿勢検出部をさらに備え
コントローラは，画像表示機器の姿勢が縦と横との間で切り替わるときに，斜め方向の視差バリアを形成部に形成させ
[0013]　好ましくは，画像表示機器は，当該画像表示機器の縦横の姿勢を検出するように構成されたセンサをさらに備える。
コントローラは，画像表示機器の姿勢が縦と横との間で切り替わるときに，画像表示機器の回転に応じて画像を表示するためにデータが出力される画素を選択するように構成されている
（２）「[0029]　図１および図２を参照して，
本実施の形態に係る携帯電話機１００の構成について説明する。
[0030]　（省略）　
[0031]　
携帯電話機１００は
タッチパネル式のディスプレイ１５０
を備える
（３）「[0035]　図３を参照して，本実施の形態に係る携帯電話機１００のハードウェア構成について説明する。図３は，携帯電話機１００のハードウェア構成の表わすブロック図である。
携帯電話機１００は
ＣＰＵ（Central　Processing　Unit）３１０と
ＲＯＭ（Read　Only　Memory）３４８
を備え
（４）「[0040]　ＲＡＭ３４６は，ボタン１６０に対して行なわれた操作に基づいてＣＰＵ３１０によって生成されるデータを一時的に保持する。
ＲＯＭ３４８は，携帯電話機１００に予め定められた動作を実行させるためのプログラムあるいはデータを格納し
ＣＰＵ３１０は，ＲＯＭ３４８から当該プログラムまたはデータを読み出し，携帯電話機１００の動作を制御する
（５）「[0049]　図４を参照して，本実施の形態に係る携帯電話機１００による輝度変化について説明する。図４は，２次元表示と３次元表示との間の切り替え時における輝度変化を説明するための図である。
[0050]　グラフＡに示されるように，
ディスプレイ１５０を２次元表示（２Ｄ）と３次元表示（３Ｄ）との間で切り替える制御（ＬＣＤ制御）が行われる場合
ディスプレイ１５０に含まれる液晶表示パネル４００の上部（表示出力方向）に配置されたスイッチング液晶４１０において，視差バリア４２０，４２１，４２２，４２３が，３次元表示の時に形成されて，液晶表示パネル４００から発せられる光量が減少する
（６）「[0051]　図５を参照して，輝度変化についてさらに説明する。図５は，ディスプレイ１５０が縦長方向および横長方向のいずれでも，その姿勢に応じて画像を表示可能な場合におけるディスプレイ１５０の構成を表わす図である。
[0052]　図５において，状態Ａに示されるように，
ディスプレイ１５０が縦長方向にある場合，スリット５１０，５１１，５１２を構成するために，視差バリア５２０，５２１，５２２，５２３が形成され
ディスプレイ１５０が横長方向にある場合，スリット５４０，５４１，５４２を構成するために視差バリア５３０，５３１，５３２，５３３が形成され
（７）「[0067]　次に，図１２を参照して，さらに他の局面における携帯電話機１００の動作について説明する。図１２は，３次元表示を行なっている携帯電話機１００を時計回りに約９０度回転させた時に形成される視差バリアを表わす図である。
[0068]　
携帯電話機１００が縦方向に把持されている場合に３次元表示を行なっているとき
視差バリア
は，縦方向に形成され
携帯電話機１００を時計回りに回転すると
約４５度回転させた時点で，視差バリア
は，回転角度に応じた傾き（すなわち約４５度）で形成され
さらに，携帯電話機１００が回転されて横方向になると
視差バリア
は，横方向に形成され
３次元の画像を表示しているディスプレイ１５０が回転されても，回転途中の位置においても３次元画像が表示され
携帯電話機１００の姿勢が切り替わっても，３次元の画像が適切に表示され
（８）「[図12]
」
（９）「[0070]　次に，図１３を参照して，さらに他の局面における携帯電話機１００の動作について説明する。図１３は，３次元表示を行なっている携帯電話機１００を時計回りに約９０度回転させた時の画素の配置を表わす図である。
[0071]　状態Ａに示されるように，
携帯電話機１００が縦方向に把持されて
３次元表示を行なっているとき
左目用の画像（Ｌ）を領域１３１０に表示し，右目用の画像（Ｒ）を領域１３２０に表示し
左目用の画像および右目用の画像においては
ＲＧＢの配列
が形成されている
[0072]　状態Ｂに示されるように，この局面に従う
携帯電話機１００が時計方向に約４５度回転されると，左目用の画像（Ｌ）は，回転位置に応じて，領域１３３０に表示される。その後，携帯電話機１００がさらに回転され（状態Ｃ），９０度回転されて横方向になる（状態Ｄ）。ディスプレイ１５０は，横長方向の状態で，３次元の画像を表示する。すなわち，左目用の画像は，領域１３３０に表示され，右目用の画像は，領域１３１０に表示される。
[0073]　この場合，
左目用の領域１３１０が表示される領域は，状態Ａ，Ｂ，Ｃにおいて異なる。このような領域の変更は，ある局面において，携帯電話機１００が，その回転位置を検知し，その回転角に応じて行なわれる。たとえば，携帯電話機１００の姿勢が，状態Ａに示される位置から，状態Ｂに示される位置に変わった場合，携帯電話機１００は，左右に配置される複数の領域（たとえば，領域１３３０，１３２０）を検知する
[0074]　携帯電話機１００がさらに回転して，図１３（Ｃ）に示される位置にある場合も，同じ領域が検出される。その後，携帯電話機１００が約９０度回転すると，左右方向に配置される領域として，領域１３３０，１３１０が検出される。この場合，領域１３４０，１３２０の組も左右に配置される関係にあるので，領域１３４０，１３２０が検出されてもよい。この局面においては，領域１３３０，１３１０の組が，領域１３４０，１３２０の組よりも上に来るので，ＣＰＵ３１０は，領域１３３０，１３１０に３次元表示のための画像を表示する。」
（１０）「[図13]
」
（１１）「[0098]　他の局面において，
携帯電話機１００は，その姿勢を検出するための姿勢検出回路，たとえばジャイロセンサをさらに備え
画像処理部１７４０は，携帯電話機１００の姿勢が縦と横との間で切り替わるときに，斜め方向の視差バリアをスイッチング液晶４１０に形成させ
画像処理部１７４０は，画像表示機器の姿勢が縦と横との間で切り替わるときに，画像表示機器の回転に応じて画像を表示するためにデータが出力される画素を選択するように構成されている
２　引用発明
（１）上記１（２）及び（３）の記載から，引用文献１には，「タッチパネル式のディスプレイ１５０とＣＰＵ（Central　Processing　Unit）３１０とＲＯＭ（Read　Only　Memory）３４８を備える携帯電話機１００」が記載されている。
（２）上記１（５）の段落0050の記載から，引用文献１には，「ディスプレイ１５０を２次元表示（２Ｄ）と３次元表示（３Ｄ）との間で切り替える制御（ＬＣＤ制御）が行われる場合，３次元表示の時にディスプレイ１５０に含まれる液晶表示パネル４００の上部（表示出力方向）に配置されたスイッチング液晶４１０において視差バリアが形成されて液晶表示パネル４００から発せられる光量が減少する」ことが記載されている。
（３）上記１（７）の段落0068〜0069及び図１２の記載から，引用文献１には，「携帯電話機１００が縦方向に把持されている場合に３次元表示を行なっているとき，視差バリアは，縦方向に形成され，携帯電話機１００を時計回りに回転すると，約４５度回転させた時点で，視差バリアは，回転角度に応じた傾き（すなわち約４５度）で形成され，さらに，携帯電話機１００が回転されて横方向になると，視差バリアは，横方向に形成され，３次元の画像を表示しているディスプレイ１５０が回転されても，回転途中の位置においても３次元画像が表示され，携帯電話機１００の姿勢が切り替わっても，３次元の画像が適切に表示され」ることが記載されていると認められる。
（４）上記１（９）の段落0071〜0072の記載及び図１３の記載から，引用文献１には，「ディスプレイ１５０は，携帯電話機１００が縦方向に把持されて３次元表示を行なっているとき左目用の画像（Ｌ）を領域１３１０に表示し，右目用の画像（Ｒ）を領域１３２０に表示し，左目用の画像および右目用の画像にはＲＧＢの配列が形成され，携帯電話機１００が時計方向に約４５度回転されて３次元表示を行なっているとき左目用の画像（Ｌ）を領域１３３０に表示し，右目用の画像（Ｒ）を領域１３２０に表示し，携帯電話機１００がさらに回転されて横方向で３次元表示を行なっているとき左目用の画像（Ｌ）を領域１３３０に表示し，右目用の画像（Ｒ）を領域１３１０に表示」することが記載されていると認められる。
（５）上記１（９）の段落0073の記載及び上記１（１１）の段落0098の記載から，引用文献１における携帯電話機１００の「姿勢」は，具体的には携帯電話機１００の「回転位置」であり，携帯電話機１００の「姿勢」を検出するための姿勢検出回路は，携帯電話機１００の「回転位置」を検出しているものと認められる。
　また，上記１（１）の段落0012及び0013の記載と，上記１（１１）の段落0098の記載からみて，段落0098の「画像表示機器」は，「携帯電話機１００」のことを指しているものと認められる。
　そうすると，上記１（９）の段落0073の記載及び上記１（１１）の段落0098の記載から，引用文献１には，「携帯電話機１００は，その回転位置を検出するための姿勢検出回路，たとえばジャイロセンサを備え，画像処理部１７４０は，携帯電話機１００の回転位置が縦と横との間で切り替わるときに，斜め方向の視差バリアをスイッチング液晶４１０に形成させ，また，携帯電話機１００の回転位置が縦と横との間で切り替わるときに，携帯電話機１００の回転に応じて画像を表示するためにデータが出力される画素を選択するように構成されている」ことが記載されていると認められる。
（６）まとめ
　上記（１）〜（５），及び，上記１（１）〜（１１）に摘記した引用文献１の記載事項から，引用文献１には，次の発明（以下，「引用発明」という。）が記載されていると認められる。
　なお，引用発明の各構成を，それぞれに付した符号（ａ）〜（ｇ）により，以下，構成ａ〜構成ｇと称する。
（引用発明）
（ａ）タッチパネル式のディスプレイ１５０とＣＰＵ（Central　Processing　Unit）３１０とＲＯＭ（Read　Only　Memory）３４８を備える携帯電話機１００であって，
（ｂ）ＲＯＭ３４８は，携帯電話機１００に予め定められた動作を実行させるためのプログラムあるいはデータを格納し，ＣＰＵ３１０は，ＲＯＭ３４８から当該プログラムまたはデータを読み出し，携帯電話機１００の動作を制御し，
（ｃ）ディスプレイ１５０を２次元表示（２Ｄ）と３次元表示（３Ｄ）との間で切り替える制御（ＬＣＤ制御）が行われる場合，３次元表示の時にディスプレイ１５０に含まれる液晶表示パネル４００の上部（表示出力方向）に配置されたスイッチング液晶４１０において視差バリアが形成されて液晶表示パネル４００から発せられる光量が減少し，
（ｄ）ディスプレイ１５０が縦長方向にある場合，スリット５１０，５１１，５１２を構成するために視差バリア５２０，５２１，５２２，５２３が形成され，ディスプレイ１５０が横長方向にある場合，スリット５４０，５４１，５４２を構成するために視差バリア５３０，５３１，５３２，５３３が形成され，
（ｅ）携帯電話機１００が縦方向に把持されている場合に３次元表示を行なっているとき，視差バリアは，縦方向に形成され，携帯電話機１００を時計回りに回転すると，約４５度回転させた時点で，視差バリアは，回転角度に応じた傾き（すなわち約４５度）で形成され，さらに，携帯電話機１００が回転されて横方向になると，視差バリアは，横方向に形成され，３次元の画像を表示しているディスプレイ１５０が回転されても，回転途中の位置においても３次元画像が表示され，携帯電話機１００の姿勢が切り替わっても，３次元の画像が適切に表示され，
（ｆ）ディスプレイ１５０は，携帯電話機１００が縦方向に把持されて３次元表示を行なっているとき左目用の画像（Ｌ）を領域１３１０に表示し，右目用の画像（Ｒ）を領域１３２０に表示し，左目用の画像および右目用の画像にはＲＧＢの配列が形成され，携帯電話機１００が時計方向に約４５度回転されて３次元表示を行なっているとき左目用の画像（Ｌ）を領域１３３０に表示し，右目用の画像（Ｒ）を領域１３２０に表示し，携帯電話機１００がさらに回転されて横方向で３次元表示を行なっているとき左目用の画像（Ｌ）を領域１３３０に表示し，右目用の画像（Ｒ）を領域１３１０に表示し，
（ｇ）携帯電話機１００は，その回転位置を検出するための姿勢検出回路，たとえばジャイロセンサを備え，画像処理部１７４０は，携帯電話機１００の回転位置が縦と横との間で切り替わるときに，斜め方向の視差バリアをスイッチング液晶４１０に形成させ，また，携帯電話機１００の回転位置が縦と横との間で切り替わるときに，携帯電話機１００の回転に応じて画像を表示するためにデータが出力される画素を選択するように構成されている
（ａ）携帯電話機１００。
３　引用文献２，３の記載及び技術
（１）引用文献２の記載
　本願の出願前に頒布された又は電気通信回線を通じて公衆に利用可能となった特開２０１２−１８５２３１号公報（２０１２年９月２７日公開。以下「引用文献２」という。）には，図面とともに，次の記載がある。
ア　「【発明の効果】
【０００７】
　本発明によれば，
表示画面に対する観察者までの距離と位置を限定することなく，常に正確な立体画像を観察することが可能となる
イ　「【００１２】
　
液晶モニタ１５は，後述する視差バリア方式の立体画像を表示可能な，２層構造の液晶表示パネルとバックライトを有する
ウ　「【００２４】
　
表示駆動部３５は，上記液晶モニタ１５の一部を構成するカラー液晶パネル３６により左目用の画像と右目用の画像とを左右方向に相互する縦縞の格子状に表示させることで，立体のスルー画像を表示する
【００２５】
　
カラー液晶パネル３６上には，カラーフィルタを持たず，上記カラー液晶パネル３６より高精細の透過型の液晶表示パネルが，適宜間隙を空けて視差バリア部３７として一体に構成される
視差バリア部３７は，視差バリア駆動部３８により駆動され，
このデジタルカメラ１０のユーザの両目の位置に対応した幅を持つ縦縞の格子の視差バリアを表示する
エ　「【００４６】
　これに対して，
視差バリア部３７は，カラー液晶パネル３６に比して充分に高精細な画素構成を有する透過型のモノクロ液晶表示パネルで構成され，
オ　「【００４９】
　図６（Ｃ）は，上記図６（Ａ）に示したバリアと中心位置は同じながら，幅を伸長したバリアを示す。このように
視差バリア部３７で表示する非透過部分であるバリアの位置及び幅は，視差バリア部３７を構成する液晶表示パネルの１ドットの幅を単位として任意に設定できる
カ　「図６
」
（２）引用文献２記載の技術
　上記（１）の記載から，引用文献２には，次の技術が記載されている。
（引用文献２記載の技術）
　視差バリア方式の立体画像を表示可能な，２層構造の液晶表示パネルとバックライトを有する液晶モニタ１５において，（段落００１２）
　表示駆動部３５は，上記液晶モニタ１５の一部を構成するカラー液晶パネル３６により左目用の画像と右目用の画像とを左右方向に相互する縦縞の格子状に表示させることで，立体のスルー画像を表示し，（段落００２４）
　カラー液晶パネル３６上には，カラーフィルタを持たず，上記カラー液晶パネル３６に比して充分に高精細な画素構成を有する透過型のモノクロ液晶表示パネルが，適宜間隙を空けて視差バリア部３７として一体に構成され，この視差バリア部３７は，視差バリア駆動部３８により駆動され，このデジタルカメラ１０のユーザの両目の位置に対応した幅を持つ縦縞の格子の視差バリアを表示し，（段落００２５，００４６）
　視差バリア部３７で表示する非透過部分であるバリアの位置及び幅は，視差バリア部３７を構成する液晶表示パネルの１ドットの幅を単位として任意に設定することができ，（段落００４９，図６）
　これにより，表示画面に対する観察者までの距離と位置を限定することなく，常に正確な立体画像を観察することを可能とする（段落０００７）技術。
（３）引用文献３の記載
　本願の出願前に頒布された又は電気通信回線を通じて公衆に利用可能となった国際公開第２０１２／０３００９２号（２０１２年３月８日国際公開。以下「引用文献３」という。）には，図面とともに，次の記載がある。
　なお，上記引用文献３として公開された国際出願の日本での国内段階への移行のために提出された翻訳を公表した特表２０１３−５４１０３６号公報の記載を当審訳の参考とした。
ア　「
」
（当審訳：[１]　以下の説明は，パララックスバリア方式の立体映像表示装置に係り，具体的に，眼鏡なし方式の立体映像ディスプレイを垂直／水平に可能にするだけでなく，視聴者が移動時にも精密な立体感を感じることができるようにする
サブセル要素単位のパララックスバリア方式の立体映像表示装置
イ　「
」
（当審訳：[１３]　上述した‘０１２７６３１号発明によれば，
視聴者がユーザ機器（Ｕｓｅｒ  Ｅｑｕｉｐｍｅｎｔ）を握る方向によって水平方向／垂直方向のディスプレイが変わる場合にも，視聴者が立体映像を見ることができる
ウ　「
」
（当審訳：[19]　好ましくは，
前記立体映像表示装置は，前記視聴者の移動を感知することができる移動感知モジュールをさらに含むことができ
前記パララックスバリアモジュールは，前記視聴者の移動によって前記サブセル要素単位で前記複数のバリアを水平方向または垂直方向に移動させて形成されるように制御することができる
エ　「
」
（当審訳：[24]　上述したような本発明の実施形態によれば，
水平方向／垂直方向に立体映像のディスプレイが自由になされるだけでなく，視聴者の移動によってパララックスバリアの精密な移動が可能であるので，高品質の立体映像をディスプレイすることができる
オ　「
」（当審訳：
[52]　図８は，本発明の一実施形態に係る
サブセル要素単位のパララックスバリア
[53]　図８の（ａ）は，前記‘０１２７６３１号発明でのような
セルマトリックスタイプのパララックスバリア
[54]　一方，図８の（ｂ）は，図８の（ａ）と比較して，
一つのセルが複数のサブセル要素に区分された形態を
[55]　図９は，本発明の他の一実施形態に係る
サブセル要素単位のパララックスバリア
[56]　図９は，図８と比較して，
一つのセルが水平方向だけでなく垂直方向にも複数のサブセル要素に区分された形態
一つのセルは水平方向において３個のサブセル要素に，垂直方向において２個のサブセル要素に区分された形態
この場合，一つのセルは，６個のサブセル要素を含むことができる
一つのセルがいくつのサブセル要素に区分されるかは，パララックスバリアの移動の柔軟性及び制御の複雑性を考慮して多様に選択することができる
また，水平方向のディスプレイにおいてパララックスバリアに要求される移動の柔軟性と，垂直方向のディスプレイにおいてパララックスバリアに要求される移動の柔軟性とは異なることがあるため
一つのセルが水平方向において区分されるサブセル要素の個数Ｎｘと，垂直方向において区分されるサブセル要素の個数Ｎｙとは互いに異なることがある
カ　「図８
」
キ　「図９
」
（４）引用文献３に記載の技術
　上記（３）の記載から，引用文献３には，次の技術が記載されている。
（引用文献３記載の技術）
　視聴者がユーザ機器（Ｕｓｅｒ  Ｅｑｕｉｐｍｅｎｔ）を握る方向によって水平方向／垂直方向のディスプレイが変わる場合にも，視聴者が立体映像を見ることができるセルマトリックスタイプのパララックスバリアにおいて，一つのセルを複数のサブセル要素に区分したサブセル要素単位のパララックスバリア方式の立体映像表示装置であって，（段落１，１３，５２〜５５，図８，図９）
　一つのセルは水平方向だけでなく垂直方向にも複数のサブセル要素に区分され，（段落５６，図９）
　例えば，一つのセルが水平方向において３個のサブセル要素に，垂直方向において２個のサブセル要素に区分された場合，一つのセルは，６個のサブセル要素を含むことができ，（段落５６，図９）
　一つのセルがいくつのサブセル要素に区分されるかは，パララックスバリアの移動の柔軟性及び制御の複雑性を考慮して多様に選択することができ，また，水平方向のディスプレイにおいてパララックスバリアに要求される移動の柔軟性と，垂直方向のディスプレイにおいてパララックスバリアに要求される移動の柔軟性とは異なることがあるため，一つのセルが水平方向において区分されるサブセル要素の個数Ｎｘと，垂直方向において区分されるサブセル要素の個数Ｎｙとは互いに異なることがあり，（段落５６，図９）
　前記立体映像表示装置は，前記視聴者の移動を感知することができる移動感知モジュールをさらに含むことができ，前記パララックスバリアモジュールは，前記視聴者の移動によって前記サブセル要素単位で前記複数のバリアを水平方向または垂直方向に移動させて形成されるように制御することができ，（段落１９）
　水平方向／垂直方向に立体映像のディスプレイが自由になされるだけでなく，視聴者の移動によってパララックスバリアの精密な移動が可能であるので，高品質の立体映像をディスプレイすることができる，（段落２４）立体映像表示装置。
第５　対比 
　本願発明と引用発明を対比する。
１　構成Ｂについて
　構成ｆの「ディスプレイ１５０」が，３次元表示を行なうときの左目用の画像（Ｌ）を表示する領域１３１０，及び右目用の画像（Ｒ）を表示する領域１３２０には，ＲＧＢの配列が形成されており，領域１３１０，１３２０は画像を表示するための画素といえるから，構成ｆの「ディスプレイ１５０」は，構成Ｂの「画像データに基づいて複数の画素によって形成されたコンテンツを表示する表示スクリーン装置」に相当する。
２　構成Ｃについて
　構成ｄの視差バリア（５２０，５２１，５２２，５２３）は，スリット５１０，５１１，５１２の間に形成されることで，スリット５１０，５１１，５１２以外の部分をマスクするために形成されるものであるから，構成ｄの「視差バリア」は構成Ｃの「マスク部分」に相当する。
　また，構成ｇのとおり，携帯電話機１００の回転位置が縦と横との間で切り替わるときには「スイッチング液晶４１０」により斜め方向の視差バリアを形成することができるものであるから，「スリット」と「視差バリア」が，「スイッチング液晶４１０」の複数の画素を含む画素構成によって形成されていることは明らかである。
　してみれば，引用発明の「スリット」と「視差バリア」が形成される「スイッチング液晶４１０」は，構成Ｃの「スリット部分及びマスク部分を形成する画素構成に複数の画素を含」む「パララックス・バリア」に相当する。
　構成ｅの「視差バリア」は，携帯電話機１００を時計回りに回転すると約４５度回転させた時点で回転角度に応じた傾き（すなわち約４５度）で形成され，これにより，携帯電話機１００の姿勢が切り替わっても，３次元の画像が適切に表示されるものである。
　また，構成ｆの「ディスプレイ１５０」は，携帯電話機１００が縦方向に把持されて３次元表示を行なっているとき左目用の画像（Ｌ）を領域１３１０に表示し，右目用の画像（Ｒ）を領域１３２０に表示し，携帯電話機１００が時計方向に約４５度回転されて３次元表示を行なっているとき左目用の画像（Ｌ）を領域１３３０に表示し，右目用の画像（Ｒ）を領域１３２０に表示している。
　そうすると，引用発明の「スイッチング液晶４１０」は，携帯電話機１００を回転した際に，「ディスプレイ１５０」と連係して「視差バリア」を形成することで，３次元の画像（構成Ｃの「裸眼立体提示」に相当する。）を表示しているといえる。
　してみれば，引用発明の「スイッチング液晶４１０」は「前記表示スクリーン装置と連係して裸眼立体提示を表示するように構成され」ている点で構成Ｃの「パララックス・バリア」と一致する。
　したがって，引用発明の「スイッチング液晶４１０」は，構成Ｃの「スリット部分及びマスク部分を形成する画素構成に複数の画素を含み，前記表示スクリーン装置と連係して裸眼立体提示を表示するように構成されたパララックス・バリア」に相当する。
３　構成Ｄについて
　構成ｇの「姿勢検出回路（ジャイロセンサ）」は，携帯電話機１００の回転位置を検出するためのものであり，画像処理部１７４０が携帯電話機１００の回転位置が縦と横との間で切り替わるときに斜め方向の視差バリアをスイッチング液晶４１０に形成させ，また，携帯電話機１００の回転位置が縦と横との間で切り替わるときに携帯電話機１００の回転に応じて画像を表示するためにデータが出力される画素を選択するように構成されているものであるから，ジャイロセンサで検出される携帯電話機１００の回転位置は，ディスプレイ１５０の表示面に垂直な軸を回転の中心とする回転であることは明らかである。
　また，構成ｅのとおり，携帯電話機１００が縦方向に把持されてディスプレイ１５０が３次元表示を行なっている状態から携帯電話機１００を時計回りに約４５度回転させると，ジャイロセンサが縦方向（基準回転位置）から時計回りに約４５度という回転を検知することによって，画像と視差バリアを表示するものである。
　したがって，構成ｇの「ジャイロセンサ」は，構成Ｄの「前記表示装置の，前記表示スクリーン装置の表面に垂直な軸を回転の中心とする基準回転位置からの回転を検知するセンサ」に相当する。
４　構成Ｅについて
（１）構成Ｅ１について
　構成ｅ及びｆの記載からすると，「携帯電話機１００（ディスプレイ１５０）を時計回りに約４５度回転させたとき，画像と視差バリアは反時計回りに約４５度回転するように構成されている」ものと認められる。
　そして，上記１及び２より，画像と視差バリアは，画素で構成されているから，引用発明の「画像」は，構成Ｅ１の「前記表示スクリーン装置の前記複数の画素の構成」に相当し，また，引用発明の「スリット」と「視差バリア」は，構成Ｅ１の「前記パララックス・バリアの前記画素構成」に相当する。
　ここで，構成ｅの「時計回りの方向」を構成Ｅ１の「前記基準回転位置からの第１方向と反対の第２方向」に対応させると，携帯電話機１００（ディスプレイ１５０）が時計回りの方向に回転したときジャイロセンサは「時計回りの方向」（第２の方向）の回転を検出するといえる。また，視差バリアが回転する「反時計回りの方向」は，第２の方向と反対の「第１の方向」に対応する。
　そうすると，上記で検討した「携帯電話機１００（ディスプレイ１５０）を時計回りに約４５度回転させると，画像と視差バリアは反時計回りに約４５度回転するように構成されている」ことは，構成Ｅ１の「前記表示スクリーン装置の前記複数の画素の構成と前記パララックス・バリアの前記画素構成とが，前記基準回転位置からの第１方向と反対の第２方向の前記表示装置の前記回転の，前記センサによる検出に応じて前記第１方向に回転するように構成され」ていることに相当する。
（２）構成Ｅ２について
　上記２及び上記（１）より，引用発明の「画像」，「スリットと視差バリア」はそれぞれ，構成Ｅ２の「前記表示スクリーン装置の画素によって形成された前記コンテンツ」，「前記パララックス・バリアの画素によって形成された前記スリット部分及び前記マスク部分」に相当する。
　ここで，本願明細書の段落００３３の
「したがって，本実施形態において，ＣＰＵ１１は，ＬＣＤ１の画素構成とパララックス・バリア２の画素構成とを回転させて，センサ１４が検知した表示スクリーン１１１の回転を相殺する。更に詳しく述べると，表示スクリーン１１１が，例えば，ＸＹ平面上でＺ軸を中心に反時計回りに４５度回転させられると，図１及び図２に関して説明された関係を満たすために，ＬＣＤ１の画素構成とパララックス・バリア２の画素構成とが，時計回りに４５度回転させられて，ＬＣＤ１の画素Ｒ及びＬとパララックス・バリア２の画素とが
再マッピング
再マッピング
再マッピング
との記載を参照すると，本願発明の「前記表示装置の前記回転を補償するよう再マッピングされる」とは，ＬＣＤ１の画素構成とパララックス・バリア２の画素構成とを表示スクリーン１１１の回転方向と逆方向に同一の回転量だけ回転させて，表示スクリーン１１１の回転を相殺することにより，裸眼立体視の状態を維持することである。
　一方，引用発明は，構成ｅ及びｆの記載からみて，画像と視差バリアをディスプレイ１５０の回転方向と逆方向に同一の回転量だけ回転させることで，ディスプレイ１５０の回転を相殺することにより，３次元画像の表示を維持しているものであるから，引用発明の「画像」及び「スリットと視差バリア」は，「前記表示装置の前記回転を補償するよう再マッピングされるように」なっているといえる。
　また，上記の検討から，「画像」及び「スリットと視差バリア」の「回転」は，携帯電話機１００の「回転」と大きさが等しく，かつ，反対方向であることは明らかである。
　したがって，引用発明と構成Ｅ２とは，「（Ｅ２）前記表示スクリーン装置の画素によって形成された前記コンテンツ，並びに前記パララックス・バリアの画素によって形成された前記スリット部分及び前記マスク部分が，前記表示装置の前記回転を補償するよう再マッピングされるように，前記表示スクリーン装置の前記画素構成と前記パララックス・バリアとの前記回転が，大きさが等しく前記表示装置の前記回転と反対方向であ」る点で一致する。
（３）構成Ｅ３について
　引用発明は，構成ｃのとおり，ディスプレイ１５０を２次元表示（２Ｄ）と３次元表示（３Ｄ）との間で切り替える制御（ＬＣＤ制御）を行っており，３次元表示の時には視差バリアが形成されるものである。これは，言い換えると，２次元表示の時には視差バリアが形成されていないということである。
　ここで，上記２より，引用発明の「視差バリア」は，構成Ｅ３の「（パララックス・バリアの）マスク部分」に相当するから，構成ｃにおいて，「３次元表示の時には視差バリアが形成される」ことは，構成Ｅ３の「前記マスク部分の画素」が「第１モードにおいて少なくとも部分的に不透明であ」ることに相当する。
　また，構成Ｅ３の「パララックス・バリア」は，構成Ｃより，「スリット部分」と「マスク部分」を含むものであるから，構成ｃにおいて，「３次元表示の時には視差バリアが形成される」ことは，構成Ｅ３の「前記パララックス・バリア」が「第１モードにおいて少なくとも部分的に不透明であ」ることに相当する。
　また，構成ｃにおいて，「２次元表示の時には視差バリアが形成されていない」ことは，構成Ｅ３の「前記マスク部分の画素と前記パララックス・バリアとが」，「第２モードにおいて透明である」ることに相当する。
　したがって，構成ｃと構成Ｅ３とは，「（Ｅ３）前記マスク部分の画素と前記パララックス・バリアとが，第１モードにおいて少なくとも部分的に不透明であり，第２モードにおいて透明である」点で一致する。
（４）構成ａ，ｂより，ＣＰＵ（Central　Processing　Unit）は，ＲＯＭ３４８からプログラムまたはデータを３１０が読み出して携帯電話機１００の動作を制御するものであるから，構成ｃ〜ｇの動作は，ＣＰＵによって制御されているといえる。
　したがって，上記（１）〜（３）の検討も踏まえると，構成ｃ〜ｇの動作を制御する「ＣＰＵ（Central　Processing　Unit）」は，構成Ｅ１〜Ｅ３の動作を実行するように構成された「プロセッサ」に相当する。
５　構成Ｆについて
　本願発明では，「前記パララックス・バリアの前記画素構成の解像度が，前記表示スクリーン装置の前記画素構成の解像度よりも高い」のに対して，引用発明では，そのような特定はなされていない点で相違している。
６　構成Ａについて
　上記１より，携帯電話機１００は，構成Ｂの「表示スクリーン装置」に相当する構成を備えている。
　また，上記２より，携帯電話機１００は，構成Ｃの「パララックス・バリア」に相当する構成を備えている。
　また，上記３より，携帯電話機１００は，構成Ｄの「センサ」に相当する構成を備えている。
　また，上記４より，携帯電話機１００は，構成Ｅ（Ｅ１）〜（Ｅ３）の「プロセッサ」に相当する構成を備えている。
　したがって，構成ａの「携帯電話機１００」は，構成Ｆを除き構成Ｂ〜Ｅに相当する構成を備えている点で構成Ａの「表示装置」に相当する。
７　以上の検討から，引用発明と本願発明とは以下の点で一致し，また，相違する。
　
［一致点］
（Ａ）表示装置であって，
（Ｂ）画像データに基づいて複数の画素によって形成されたコンテンツを表示する表示スクリーン装置と，
（Ｃ）スリット部分及びマスク部分を形成する画素構成に複数の画素を含み，前記表示スクリーン装置と連係して裸眼立体提示を表示するように構成されたパララックス・バリアと，
（Ｄ）前記表示装置の，前記表示スクリーン装置の表面に垂直な軸を回転の中心とする基準回転位置からの回転を検知するセンサと，
（Ｅ）（Ｅ１）前記表示スクリーン装置の前記複数の画素の構成と前記パララックス・バリアの前記画素構成とが，前記基準回転位置からの第１方向と反対の第２方向の前記表示装置の前記回転の，前記センサによる検出に応じて前記第１方向に回転するように構成され，（Ｅ２）前記表示スクリーン装置の画素によって形成された前記コンテンツ，並びに前記パララックス・バリアの画素によって形成された前記スリット部分及び前記マスク部分が，前記表示装置の前記回転を補償するよう再マッピングされるように，前記表示スクリーン装置の前記画素構成と前記パララックス・バリアとの前記回転が，大きさが等しく前記表示装置の前記回転と反対方向であり，（Ｅ３）前記マスク部分の画素と前記パララックス・バリアとが，第１モードにおいて少なくとも部分的に不透明であり，第２モードにおいて透明である，プロセッサと，
を備える，
（Ａ）前記表示装置。」
　
［相違点１］
　本願発明では，「前記パララックス・バリアの前記画素構成の解像度が，前記表示スクリーン装置の前記画素構成の解像度よりも高い」のに対して，引用発明では，そのような特定はなされていない点。
第６　判断 
　上記相違点について，判断する。
［相違点１］について
　上記引用文献２記載の技術及び引用文献３記載の技術から，パララックス・バリアの画素構成の解像度を表示スクリーン装置の画素構成の解像度よりも高めることでパララックス・バリアの柔軟性を高め，これにより，表示画面に対する観察者までの距離と位置が変更されたり，視聴者が移動したりしても，高品質の立体映像をディスプレイすることができるようにすることは，本願の出願前に当該技術分野における周知技術であったと認められる。
　引用発明と上記周知技術とは，立体映像を表示する表示装置の点で共通の技術分野に属するものであるから，引用発明に周知技術を適用することは当業者が容易に想到し得たことである。
　また，引用発明において，スイッチング液晶４１０の画素構成の解像度を表示スクリーン装置の画素構成の解像度よりも高めれば，ディスプレイ１５０が回転途中の位置において３次元画像を表示する場合でも，高品質の立体映像をディスプレイすることができるという効果を奏することは明らかである。
　したがって，引用発明において，前記パララックス・バリアの前記画素構成の解像度が，前記表示スクリーン装置の前記画素構成の解像度よりも高い構成とすることは，当業者が容易に想到し得たことである。
　そして，本願発明の奏する作用効果は，引用発明及び引用文献２，３に記載の周知技術の奏する作用効果から予測される範囲内のものにすぎず，格別顕著なものということはできない。
第７　むすび
　以上のとおり，本願発明は，その出願前に日本国内又は外国において，頒布された又は電気通信回線を通じて公衆に利用可能となった引用文献１に記載された発明及び引用文献２，３に記載の周知技術に基づいて，その出願前にその発明の属する技術の分野における通常の知識を有する者が容易に発明をすることができたものであるから，特許法第２９条第２項の規定により特許を受けることができない。
　よって，結論のとおり審決する。